(57)【要約】【課題】  玄関などの扉の施錠装置において、施錠機構に連動する解錠報知手段で解錠状態を報知することによって施錠忘れを防止するものを提供する。【解決手段】  解錠報知手段に、施錠シリンダーと連動して開閉するスイッチを介して電源を結合し、表示灯あるいは音声発生器、又はその両方を作動することにより解錠状態であることを報知する。【選択図】図１
0003169485.tif 000002
【実用新案登録請求の範囲】
【請求項１】
扉の施錠機構に、扉の解錠を報知する解錠報知手段を設けたことを特徴とする扉の施錠忘れ防止装置。
【請求項２】
解錠報知手段は、施錠シリンダーと連動して開閉するスイッチを介して電源に結合したことを特徴とする請求項１記載の扉の施錠忘れ防止装置。
【請求項３】
施錠シリンダーに連動して開閉するスイッチは、施錠シリンダーの回動軸に固定された回動電極と、この回動電極の先端に形成された接点が施錠時に離脱し、解錠時に接触する円弧状電極とからなることを特徴とする請求項２記載の扉の施錠忘れ防止装置。
【請求項４】
施錠シリンダーに連動して開閉するスイッチは、スイッチ板と、先端がこのスイッチ板に臨ませられスイッチの閉方向に付勢された板ばねで形成された接点板と、この板ばねに先端を臨ませたノックピンと、施錠シリンダーの回動軸に取り付けられて施錠シリンダーの作動に従って前記ノックピンを押圧するトリガー部材とからなり、施錠シリンダーが解錠位置にあるときに、ノックピンが後退して前記スイッチを閉じて解錠報知手段を作動させ、施錠シリンダーが施錠位置にあるときに、トリガー部材がノックピンを介して前記板ばねを押圧してスイッチを開くことを特徴とする請求項２記載の扉の施錠忘れ防止装置。
【請求項５】
解錠報知手段は、表示灯で構成したことを特徴とする請求項１、２、３又は４記載の扉の施錠忘れ防止装置。
【請求項６】
解錠報知手段は、音声発生器で構成したことを特徴とする請求項１、２、３又は４記載の扉の施錠忘れ防止装置。
【考案の詳細な説明】
【技術分野】
【０００１】
本考案は、玄関などの扉が解錠しているときにそれを報知するようにして施錠忘れを防止するようにした扉の施錠忘れ防止装置に関するものである。
【背景技術】
【０００２】
扉の施錠装置は、扉の側面から枠側に突出して扉が風などで開かないように係合しておくラッチと、このラッチの係合を解除するノブと、扉の側面から枠側に進退して施錠する閂と、この閂を進退させる施錠シリンダーとらなり、施錠シリンダーは室外側からは鍵で、室内側からはサムターンで操作するようになっている。
【考案の概要】
【考案が解決しようとする課題】
【０００３】
玄関扉の施錠装置は、しばしばかけ忘れることがある。
近時、老人のみの世帯が増えており、高齢者世帯での鍵のかけ忘れが特に多い。
かけ忘れた結果、空き巣に入られるなどの被害が発生する場合があるという問題点があった。
このような高齢者世帯で、鍵のかけ忘れを防止するためには、一寸した外出でも、お隣への回覧板を届けるときでも、裏庭で土いじりをするときでも必ず施錠を行い、扉を閉めたら必ず施錠するということを習慣として、意識せずとも施錠を行なうようにしておくことが有用である。
また、健常者であっても鍵をかけ忘れることはあり、空き巣などの被害が発生しなくても、外出先で施錠したかどうか思い出せないような場合、確認するために家に戻ったり、戻る時間がない場合や遠くまで出かけてしまっている場合は家に帰るまで心配をしなければならない。
【０００４】
本考案は、以上のような問題点に鑑み考案されたもので、施錠忘れを光や音で報知するようにしたものである。
【課題を解決するための手段】
【０００５】
本考案の請求項１は、扉の施錠機構に、扉の解錠を報知する解錠報知手段を設けたことを特徴とするものである。
【０００６】
本考案の請求項２は、請求項１の考案において、解錠報知手段は、施錠シリンダーと連動して開閉するスイッチを介して電源に結合したことを特徴とするものである。
【０００７】
本考案の請求項３は、請求項２の考案において、施錠シリンダーに連動して開閉するスイッチは、施錠シリンダーの回動軸に固定された回動電極と、この回動電極の先端に形成された接点が施錠時に離脱し、解錠時に接触する円弧状電極とからなることを特徴とするものである。
【０００８】
本考案の請求項４は、請求項２の考案において、施錠シリンダーに連動して開閉するスイッチは、スイッチ板と、先端がこのスイッチ板に臨ませられスイッチの閉方向に付勢された板ばねで形成された接点板と、この板ばねに先端を臨ませたノックピンと、施錠シリンダーの回動軸に取り付けられて施錠シリンダーの作動に従って前記ノックピンを押圧するトリガー部材とからなり、施錠シリンダーが解錠位置にあるときに、ノックピンが後退して前記スイッチを閉じて解錠報知手段を作動させ、施錠シリンダーが施錠位置にあるときに、トリガー部材がノックピンを介して前記板ばねを押圧してスイッチを開くことを特徴とするものである。
【０００９】
本考案の請求項５は、請求項１、２、３又は４の考案において、解錠報知手段は、表示灯で構成したことを特徴とするものである。
【００１０】
本考案の請求項６は、請求項１、２、３又は４の考案において、解錠報知手段は、音声発生器で構成したことを特徴とするものである。
【考案の効果】
【００１１】
請求項１記載の考案によれば、解錠状態であることが解錠報知手段により報知されるので、施錠を忘れて外出してしまうということがなくなるという効果を有する。
【００１２】
請求項２、３又は４記載の考案によれば、施錠機構としての施錠シリンダーと連動して開閉するスイッチを設けたので、ごく簡単な構成の追加で解錠報知手段を作動させることができるという効果を有する。
【００１３】
請求項５記載の考案によれば、表示灯により解錠状態の報知をするので、耳が遠い高齢者又は耳が不自由な人でも報知を認識することができるという効果を有する。
【００１４】
請求項６記載の考案によれば、音声発生器により解錠状態の報知をするので、報知装置を見なくても報知を認識することができるという効果を有する。
【図面の簡単な説明】
【００１５】
【図１】本考案による扉の施錠忘れ防止装置を示す断面図である。
【図２】スイッチを構成する円弧状電極と回動電極を示す説明図である。
【図３】本考案による扉の施錠忘れ防止装置を示すもので、（ａ）は室外側から見た図、（ｂ）は室内側から見た図である。
【図４】（ａ）（ｂ）は、それぞれ本考案の扉の施錠忘れ防止装置に用いられるスイッチの他の実施例を示す説明図である。
【図５】（ａ）（ｂ）は、それぞれ本考案による扉の施錠忘れ防止装置の他の例を示す正面図である。
【考案を実施するための形態】
【００１６】
扉の施錠機構に扉の解錠時に解錠を報知する解錠報知手段を設け、解錠報知手段は、施錠シリンダーと連動して開閉するスイッチを介して電源に結合する。
【実施例１】
【００１７】
本考案による扉の施錠忘れ防止装置の一実施例を図１ないし図３（ａ）（ｂ）に基づき説明する。
図３（ａ）（ｂ）は、本考案による扉の施錠忘れ防止装置を示すもので、図３（ａ）は室外側から見た図、図３（ｂ）は室内側から見た図である。
扉の施錠装置の台座１は縦長の形状をなしており、上下方向の略中央にノブ２が設けられ、このノブ２の下側に施錠シリンダー３が設けられ、さらにノブ２の上部に後述する本考案による表示灯４が設けられている。
この施錠シリンダー３には、室外側に図３（ａ）に示すように鍵穴６が設けられ、室内側に図３（ｂ）に示すようにサムターン７が設けられている。
【００１８】
前記ノブ２は、回動させることによって扉１４の側面から枠側に突出させて扉が風などで開かないように係合しておくラッチの係合を解除して扉１４を開放できるように構成され、前記施錠シリンダー３は、室外側からは鍵穴６に鍵を挿入して回動軸１０を回動させることによって、室内側からはサムターン７によって回動軸１０を回動させることによって閂を扉の側面から進退させて施錠及び解錠するように構成されている。
【００１９】
前記台座１のノブ２の上側には、解錠報知手段として解錠時に点灯する表示灯４が設けられており、この表示灯４は、図１に示すように、施錠シリンダー３と連動したスイッチ８を介して電源９に結合されている。
前記スイッチ８は台座１の内部に設けられ、図２に示すように、施錠シリンダー３の回動軸１０を中心とした円弧状電極１１と、回動軸１０に固定されて先端の接点１２が前記円弧状電極１１上を摺動する回動電極１３からなる。
前記円弧状電極１１と回動電極１３の回動方向の位置は、施錠時には、実線で示すように回動電極１３の接点１２が円弧状電極１１から離脱する位置になり、解錠時には、鎖線で示すように回動電極１３の接点１２が円弧状電極１１に接触する位置になるように配置されている。
【００２０】
次に、以上の構成による扉の施錠忘れ防止の作用を説明する。
外出するために、又は、帰宅して家に入るために解錠を行なうと、円弧状電極１１と回動電極１３の接点１２が、図２に鎖線で示すように接触して、スイッチ８が閉じるので導通状態となり、電源が供給されて表示灯４が点灯して解錠状態であることを報知する。
この報知を認識して施錠しなければならないことに気づいて施錠をすると、弧状電極１１と回動電極１３の接点１２が、図２に実線で示すように離脱してスイッチ８が開かれて非導通となり、電源が遮断されて表示灯４が消灯することにより施錠されたことが確認できる。
【００２１】
以上の実施例では、スイッチ８を平面的な円弧状電極１１と回動電極１３によって構成したが、本考案はこれに限られるものではなく、図４（ａ）に示すように、回動電極１３の先端にロール状の接点１２を設け、平板を湾曲させて形成した円弧状電極１１の内側に前記ロール状の接点１２が接触しつつ転動するように構成しても良い。
【００２２】
また、図４（ｂ）に示すように、スイッチ板１６と、先端がこのスイッチ板１６に臨ませられスイッチの閉方向に付勢された板ばねで形成された接点板１７と、この板ばねに先端を臨ませたノックピン１９と、施錠シリンダーの回動軸に取り付けられて施錠シリンダーの作動に従って前記ノックピンを押圧するトリガー部材１８とからなり、このトリガー部材１８を施錠シリンダー３の回動軸１０に取り付け、施錠シリンダー３の作動に従って前記スイッチ板１６と接点板１７を接離し、施錠シリンダー３が施錠位置にあるときにトリガー部材１８の先端が前記接点板１７を押圧してスイッチ８を開くように構成しても良い。
ノックピン１９には、トリガー部材１８が離れたときに、接点板１７から離れるように戻しスプリング２０が設けられている。
【００２３】
また、ノブ２は、図３（ａ）（ｂ）に示すような握って捻るタイプでなくとも、図５（ａ）に示す棒状のハンドル型のノブ２でも良いし、図５（ｂ）に示すように大型のハンドル２を押したり引いたりするタイプでも良い。
【００２４】
さらに、以上のような物理的に接離するスイッチ８ではなく、施錠シリンダー３と連動してフォトカプラの光結合を遮ることによって、電源９と表示灯４の接続を開閉するように構成しても良い。
【００２５】
以上の実施例では、解錠時に表示灯４を点灯させて解錠状態であることを報知するように構成したが、本考案はこれに限られるものではなく、チャイムや例えばオルゴール音による音楽などを発する音声発生器２１で解錠状態であることを報知するように構成しても良いし、表示灯と音声発生器２１の両方で報知するように構成しても良い。
【符号の説明】
【００２６】
１…施錠装置の台座、２…ノブ（ハンドル）、３…施錠シリンダー、４…表示灯、６…鍵穴、７…サムターン、８…スイッチ、９…電源、１０…施錠シリンダーの回動軸、１１…円弧状電極、１２…接点、１３…回動電極、１４…扉、１６…スイッチ板、１７…接点板、１８…トリガー部材、１９…ノックピン、２０…戻しスプリング、２１…音声発生器。
【図１】
0003169485.tif 000003
【図２】
0003169485.tif 000004
【図３】
0003169485.tif 000005
【図４】
0003169485.tif 000006
【図５】
0003169485.tif 000007
【手続補正書】
【提出日】平成23年5月30日(2011.5.30)
【手続補正１】
【補正対象書類名】実用新案登録請求の範囲
【補正対象項目名】全文
【補正方法】変更
【補正の内容】
【実用新案登録請求の範囲】
【請求項１】
扉の解錠を報知する解錠報知手段と、扉の施錠機構の施錠シリンダーに連動し、扉の解錠時にオンするスイッチを具備し、
このスイッチを前記解錠報知手段と電源の間に介在して結合したことを特徴とする扉の施錠忘れ防止装置。
【請求項２】
施錠シリンダーに連動して開閉するスイッチは、施錠シリンダーの回動軸に固定された回動電極と、この回動電極の先端に形成された接点が施錠時に離脱し、解錠時に接触する円弧状電極とからなることを特徴とする請求項１記載の扉の施錠忘れ防止装置。
【請求項３】
施錠シリンダーに連動して開閉するスイッチは、スイッチ板と、先端がこのスイッチ板に臨ませられスイッチの閉方向に付勢された板ばねで形成された接点板と、この板ばねに先端を臨ませたノックピンと、施錠シリンダーの回動軸に取り付けられて施錠シリンダーの作動に従って前記ノックピンを押圧するトリガー部材とからなり、施錠シリンダーが解錠位置にあるときに、ノックピンが後退して前記スイッチを閉じて解錠報知手段を作動させ、施錠シリンダーが施錠位置にあるときに、トリガー部材がノックピンを介して前記板ばねを押圧してスイッチを開くことを特徴とする請求項１記載の施錠忘れ防止機能付き扉施錠装置。
【請求項４】
施錠シリンダーに連動して開閉するスイッチは、施錠シリンダーと連動してフォトカプラの光結合を遮ることによって開閉することを特徴とする請求項１記載の扉の施錠忘れ防止装置。
【請求項５】
解錠報知手段は、表示灯で構成したことを特徴とする請求項１、２、３又は４記載の施錠忘れ防止機能付き扉施錠装置。
【請求項６】
解錠報知手段は、音声発生器で構成したことを特徴とする請求項１、２、３又は４記載の施錠忘れ防止機能付き扉施錠装置。